【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
画像表示装置に接続され、メイン画像と該メイン画像を小さな所定サイズにリサイズしたサムネイル画像とを所定の圧縮処理を施してファイル化すると共に該メイン画像と該サムネイル画像のサイズに関する画像サイズ情報をファイル化した画像ファイルから該メイン画像を入力して前記画像表示装置に表示出力する画像表示処理装置であって、
前記画像ファイルから画像サイズ情報を入力し、該入力した画像サイズ情報に基づいて該画像ファイルに含まれるサムネイル画像が前記画像表示装置に表示されるよう該画像ファイルからサムネイル画像を入力すると共に該入力したサムネイル画像の前記所定の圧縮処理を解除して前記画像表示装置に表示出力するサムネイル画像表示処理手段と、
前記画像ファイルからメイン画像を入力すると共に該入力したメイン画像の前記所定の圧縮処理を解除し、該メイン画像が前記サムネイル画像に代えて前記画像表示装置に表示されるよう該メイン画像を該画像表示装置に表示出力するメイン画像表示処理手段と、
を備え、
前記画像サイズ情報は、メイン画像の縦横のサイズとサムネイル画像の縦横のサイズと該サムネイル画像の回転方向とを含み、
前記サムネイル画像表示処理手段は、前記画像サイズ情報に含まれるメイン画像の縦横のサイズとサムネイル画像の縦横のサイズとに基づいてメイン画像とサムネイル画像とが各々縦長画像であるか横長画像であるかを判定し、メイン画像とサムネイル画像とが共に縦長画像または共に横長画像のときにはサムネイル画像がそのまま前記画像表示装置に表示されるようサムネイル画像を表示出力し、メイン画像が縦長画像でサムネイル画像が横長画像またはメイン画像が横長画像でサムネイル画像が縦長画像のときにはサムネイル画像が前記画像サイズ情報に含まれる回転方向情報の方向に９０度だけ回転して前記画像表示装置に表示されるようサムネイル画像を表示出力する手段である
画像表示処理装置。
【請求項２】
画像表示装置に接続され、メイン画像と該メイン画像を小さな所定サイズにリサイズしたサムネイル画像とを所定の圧縮処理を施してファイル化すると共に該メイン画像と該サムネイル画像のサイズに関する画像サイズ情報をファイル化した画像ファイルから該メイン画像を入力して前記画像表示装置に表示出力する画像表示処理装置であって、
前記画像ファイルから画像サイズ情報を入力し、該入力した画像サイズ情報に基づいて該画像ファイルに含まれるサムネイル画像が前記画像表示装置に表示されるよう該画像ファイルからサムネイル画像を入力すると共に該入力したサムネイル画像の前記所定の圧縮処理を解除して前記画像表示装置に表示出力するサムネイル画像表示処理手段と、
前記画像ファイルからメイン画像を入力すると共に該入力したメイン画像の前記所定の圧縮処理を解除し、該メイン画像が前記サムネイル画像に代えて前記画像表示装置に表示されるよう該メイン画像を該画像表示装置に表示出力するメイン画像表示処理手段と、
を備え、
前記画像サイズ情報は、前記メイン画像の向きと前記サムネイル画像の向きとに関する情報であり、
前記サムネイル画像表示処理手段は、サムネイル画像の向きがメイン画像の向きに一致するようサムネイル画像を表示出力する手段である
画像表示処理装置。
【請求項３】
画像表示装置に接続され、メイン画像と該メイン画像を小さな所定サイズにリサイズしたサムネイル画像とを所定の圧縮処理を施してファイル化すると共に該メイン画像と該サムネイル画像のサイズに関する画像サイズ情報をファイル化した画像ファイルから該メイン画像を入力して前記画像表示装置に表示出力する画像表示処理装置であって、
前記画像ファイルから画像サイズ情報を入力し、該入力した画像サイズ情報に基づいて該画像ファイルに含まれるサムネイル画像が前記画像表示装置に表示されるよう該画像ファイルからサムネイル画像を入力すると共に該入力したサムネイル画像の前記所定の圧縮処理を解除して前記画像表示装置に表示出力するサムネイル画像表示処理手段と、
前記画像ファイルからメイン画像を入力すると共に該入力したメイン画像の前記所定の圧縮処理を解除し、該メイン画像が前記サムネイル画像に代えて前記画像表示装置に表示されるよう該メイン画像を該画像表示装置に表示出力するメイン画像表示処理手段と、
を備え、
前記画像サイズ情報は、メイン画像の縦横のサイズとサムネイル画像の縦横のサイズと該サムネイル画像の回転方向とを含み、
前記サムネイル画像表示処理手段は、前記画像サイズ情報に含まれるメイン画像の縦横のサイズとサムネイル画像の縦横のサイズとによりメイン画像とサムネイル画像の縦横比が同一のときにはサムネイル画像がそのまま前記画像表示装置に表示されるようサムネイル画像を表示出力し、前記画像サイズ情報に含まれるメイン画像の縦横のサイズとサムネイル画像の縦横のサイズとによりメイン画像とサムネイル画像の縦横比が異なるときにはサムネイル画像が前記画像サイズ情報に含まれる回転方向情報の方向に９０度だけ回転して前記画像表示装置に表示されるようサムネイル画像を表示出力する手段である
画像表示処理装置。
【請求項４】
請求項１ないし３いずれか１項に記載の画像表示処理装置であって、
前記サムネイル画像表示処理手段は、前記画像サイズ情報に含まれるメイン画像の縦横のサイズに基づいてメイン画像のサイズが所定サイズ未満のときにはサムネイル画像を前
記画像表示装置に表示出力しない手段であり、
前記メイン画像表示処理手段は、前記画像サイズ情報に含まれるメイン画像の縦横のサイズに基づいてメイン画像のサイズが所定サイズ未満のときには、サムネイル画像が前記画像表示装置に表示されていないことに拘わらず、メイン画像が前記画像表示装置に表示されるよう該メイン画像を表示出力する手段である
画像表示処理装置。
【請求項５】
請求項１ないし３いずれか１項に記載の画像表示処理装置であって、
前記画像ファイルは、メイン画像のサイズを情報として含み、
前記サムネイル画像表示処理手段は、前記画像ファイルに含まれるメイン画像のサイズが所定サイズ未満のときにはサムネイル画像を前記画像表示装置に表示出力しない手段であり、
前記メイン画像表示処理手段は、前記画像ファイルに含まれるメイン画像のサイズが所定サイズ未満のときには、サムネイル画像が前記画像表示装置に表示されていないことに拘わらず、メイン画像が前記画像表示装置に表示されるよう該メイン画像を表示出力する手段である
画像表示処理装置。
【請求項６】
請求項１ないし５いずれか１項に記載の画像表示処理装置と該画像表示処理装置からの表示出力を受けて画像を表示する画像表示装置とを備える印刷装置。
【請求項７】
メイン画像と該メイン画像を小さな所定サイズにリサイズしたサムネイル画像とを所定の圧縮処理を施してファイル化すると共に該メイン画像と該サムネイル画像のサイズに関する画像サイズ情報をファイル化した画像ファイルから該メイン画像を入力して画像表示装置に表示出力する画像表示処理方法であって、
（ａ）前記画像ファイルから画像サイズ情報を入力するステップと、
（ｂ）該入力した画像サイズ情報に基づいて該画像ファイルに含まれるサムネイル画像が前記画像表示装置に表示されるよう該画像ファイルからサムネイル画像を入力すると共に該入力したサムネイル画像の前記所定の圧縮処理を解除して前記画像表示装置に表示出力するステップと、
（ｃ）前記画像ファイルからメイン画像を入力すると共に該入力したメイン画像の前記所定の圧縮処理を解除し、該メイン画像が前記サムネイル画像に代えて前記画像表示装置に表示されるよう該メイン画像を該画像表示装置に表示出力するステップと、
を含み、
前記画像サイズ情報は、メイン画像の縦横のサイズとサムネイル画像の縦横のサイズと該サムネイル画像の回転方向とを含み、
前記ステップ（ｂ）では、前記画像サイズ情報に含まれるメイン画像の縦横のサイズとサムネイル画像の縦横のサイズとに基づいてメイン画像とサムネイル画像とが各々縦長画像であるか横長画像であるかを判定し、メイン画像とサムネイル画像とが共に縦長画像または共に横長画像のときにはサムネイル画像がそのまま前記画像表示装置に表示されるようサムネイル画像を表示出力し、メイン画像が縦長画像でサムネイル画像が横長画像またはメイン画像が横長画像でサムネイル画像が縦長画像のときにはサムネイル画像が前記画像サイズ情報に含まれる回転方向情報の方向に９０度だけ回転して前記画像表示装置に表示されるようサムネイル画像を表示出力する
画像表示処理方法。